(57)【特許請求の範囲】
【請求項１】
無線通信システムにおいて、ビジター位置レジスタによってサポートされていない特性を指示する方法で有って、
ゲートウェイ位置レジスタからホーム位置レジスタに対して、ビジター位置レジスタが加入者に提供していない特性に関する指標を含むメッセージを送信し、
別のビジター位置レジスタから、ゲートウェイ位置レジスタに対して、前記別のビジター位置レジスタが加入者に提供していない特性に関する別の指標を含む別のメッセージを送信し、
ゲートウェイ位置レジスタによって、前記特性が前記ビジター位置レジスタによってサポートされており前記別のビジター位置レジスタによってはサポートされていないか、あるいは、前記特性が前記別のビジター位置レジスタによってサポートされており前記ビジター位置レジスタによってはサポートされていないかを決定する過程を含む方法。
【請求項２】
前記ビジター位置レジスタが前記別のビジター位置レジスタのサポートしない特性をサポートしているか、あるいは、前記別のビジター位置レジスタが前記ビジター位置レジスタのサポートしない特性をサポートしている場合、
ゲートウェイ位置レジスタからホーム位置レジスタに対して、加入者に対して前記ビジター位置レジスタがサポートしている特性、または、加入者に対して前記別のビジター位置レジスタがサポートしている特性を指示する第３の指標を含む第３のメッセージを送る過程を実行する請求項１に記載の方法。
【請求項３】
前記サポートされていない特性の別の指標は空であって、それによって前記別のビジター位置レジスタは加入者に対してすべての特性をサポートすることを示す請求項１に記載の方法。
【請求項４】
前記ビジター位置レジスタによってサポートされていない特性の指標を含むメッセージは、位置更新メッセージを交換する間にホーム位置レジスタに対して送信される請求項１に記載の方法。
【請求項５】
前記位置更新メッセージの交換は、ゲートウェイ位置レジスタがホーム位置レジスタに対してＭＡＰ＿ＵＰＤＡＴＥ＿ＬＯＣＡＴＩＯＮを送信することによって開始される請求項４に記載の方法。
【請求項６】
前記第３のメッセージは位置更新メッセージを交換する間にホーム位置レジスタに対して送信される請求項２に記載の方法。
【請求項７】
前記位置更新メッセージの交換は、ゲートウェイ位置レジスタがホーム位置レジスタに対してＭＡＰ＿ＵＰＤＡＴＥ＿ＬＯＣＡＴＩＯＮを送信することによって開始される請求項６に記載の方法。
【請求項８】
前記第３のメッセージはＭＡＰ＿ＩＮＳＥＲＴ＿ＳＵＢＳＣＲＩＢＥＲ＿ＤＡＴＡ応答確認メッセージである請求項７に記載の方法。
【請求項９】
前記第３のメッセージは、誤り回復メッセージを交換する間にホーム位置レジスタに対して送信される請求項２に記載の方法。
【請求項１０】
前記誤り回復メッセージの交換は、ゲートウェイ位置レジスタがホーム位置レジスタに対してＭＡＰ＿ＲＥＳＴＯＲＥ＿ＤＡＴＡを送信することによって開始される請求項９に記載の方法。
【請求項１１】
前記第３のメッセージはＭＡＰ＿ＩＮＳＥＲＴ＿ＳＵＢＳＣＲＩＢＥＲ＿ＤＡＴＡ応答確認メッセージで有る請求項１０に記載の方法。
【請求項１２】
前記第３のメッセージは、情報更新メッセージにおいてホーム位置レジスタに送信される請求項２に記載の方法。
【請求項１３】
前記情報更新メッセージはＭＡＰ＿ＩＮＦＯＲＭＡＴＩＯＮ＿ＵＰＤＡＴＥメッセージである請求項１２に記載の方法。
【請求項１４】
前記加入者特性は、追加のサービス、地域加入サービス、ベアラサービス、オペレータが決定する禁止、サポートされているＣＡＭＥＬフェーズおよびテレサービスからなるグループから選択されたことを特徴とする請求項１に記載の方法。
【請求項１５】
さらに、
前記ビジター位置レジスタが完全に制限された領域内に有るか、あるいは、前記別のビジター位置レジスタが完全に制限された領域にあるかを決定する過程と、
前記ビジター位置レジスタが完全に制限された領域内に有るか、あるいは、前記別のビジター位置レジスタが完全に制限された領域にあると決定された場合には、前記ビジター位置レジスタまたは前記別のビジターレジスタが完全に制限された領域に有ることを示す第３の指標を含む第３のメッセージを送信する過程とを含む請求項１に記載の方法。
【請求項１６】
無線通信システムにおいて、未知のネットワークで加入者にローミングに関する特性をサポートする方法であって、
ビジター位置レジスタからゲートウェイ位置レジスタに、加入者がビジター位置レジスタからのサービスの提供を受けていることを示す位置更新メッセージを送信し、さらに、ゲートウェイ位置レジスタに対して、どの加入者特性がビジター位置レジスタによってサポートされているかを指示し、
ゲートウェイ位置レジスタから、加入者のホーム位置レジスタに対して、加入者特性の内のどの特性がビジター位置レジスタによってサポートされているかを示すメッセージを送信し、
別のビジター位置レジスタからゲートウェイ位置レジスタに対して、加入者が前記別のビジター位置レジスタによるサービスの提供を受けていることを示す別の位置更新メッセージを送信し、さらに、ゲートウェイ位置レジスタに対して、前記別のビジター位置レジスタによって加入者のどの特性がサポートされているかを指示し、
ゲートウェイ位置レジスタにおいて、ビジター位置レジスタが前記別のビジター位置レジスタのサポートしない特性をサポートするか、あるいは、前記別のビジター位置レジスタが前記ビジター位置レジスタのサポートしない特性をサポートするかを決定する方法。
【請求項１７】
ビジター位置レジスタが前記別のビジター位置レジスタのサポートしない特性をサポートするか、あるいは、前記別のビジター位置レジスタが前記ビジター位置レジスタのサポートしない特性をサポートする場合には、
ゲートウェイ位置レジスタから、加入者のホーム位置レジスタに対して、加入者に対して前記ビジター位置レジスタがサポートしている特性、または、加入者に対して前記別のビジター位置レジスタがサポートしている特性を指示する標識メッセージを送る過程を実行する請求項１６に記載の方法。
【請求項１８】
前記標識メッセージが位置更新メッセージ交換の間にホーム位置レジスタに対して送信される請求項１７に記載の方法。
【請求項１９】
位置更新メッセージ交換は、ゲートウェイ位置レジスタがＭＡＰ＿ＵＰＤＡＴＥ＿ＬＯＣＡＴＩＯＮメッセージをホーム位置レジスタに送信することによって開始される請求項１８に記載の方法。
【請求項２０】
前記標識メッセージはゲートウェイ位置レジスタからホーム位置レジスタに対して、ＭＡＰ＿ＩＮＳＥＲＴ＿ＳＵＢＳＣＲＩＢＥＲ＿ＤＡＴＡ応答確認メッセージにおいて送信される請求項１９に記載の方法。
【請求項２１】
前記標識メッセージが誤り回復メッセージ交換の間にホーム位置レジスタに対して送信される請求項１７に記載の方法。
【請求項２２】
前記誤り回復メッセージ交換は、ゲートウェイ位置レジスタがＭＡＰ＿ＲＥＳＴＯＲＥ＿ＤＡＴＡメッセージをホーム位置レジスタに対して送信することによって開始される請求項２１に記載の方法。
【請求項２３】
前記標識メッセージがゲートウェイ位置レジスタからホーム位置レジスタに対して、ＭＡＰ＿ＩＮＳＥＲＴ＿ＳＵＢＳＣＲＩＢＥＲ＿ＤＡＴＡ応答確認メッセージにおいて送信される請求項２２に記載の方法。
【請求項２４】
前記標識メッセージがホーム位置レジスタに対して、情報更新メッセージで送信される請求項１７に記載の方法。
【請求項２５】
前記情報更新メッセージは、ＭＡＰ＿ＩＮＦＯＲＭＡＴＩＯＮ＿ＵＰＤＡＴＥである請求項２４に記載の方法。
【請求項２６】
前記加入者の特性は、追加のサービス、地域加入サービス、ベアラサービス、オペレータが決定した禁止、サポートされたＣＡＭＥＬフェーズまたはテレサービス、からなる群から選択されたものである請求項１６に記載の方法。
【請求項２７】
さらに、
前記ビジター位置レジスタが完全に制限された領域内に有るか、あるいは、前記別のビジター位置レジスタが完全に制限された領域にあるかを決定する過程と、
前記ビジター位置レジスタが完全に制限された領域内に有るか、あるいは、前記別のビジター位置レジスタが完全に制限された領域にあると決定された場合には、前記ビジター位置レジスタまたは前記別のビジターレジスタが完全に制限された領域に有ることを示す第３の指標を含む第３のメッセージを送信する過程とを含む請求項１６に記載の方法。
【請求項２８】
ビジター位置レジスタがサポートしていない特性を指示する無線通信システムであって、
ゲートウェイ位置レジスタからホーム位置レジスタに対して、ビジター位置レジスタが加入者に提供していない特性に関する指標を含むメッセージを送信するゲートウェイ位置レジスタと、
ゲートウェイ位置レジスタに対して、別のビジター位置レジスタが加入者に提供していない特性に関する別の指標を含む別のメッセージを送信する別のビジター位置レジスタとを具備し、
ゲートウェイ位置レジスタが、前記ビジター位置レジスタによってサポートされている特性を前記別のビジター位置レジスタがサポートしていないか、あるいは、前記特性が前記別のビジター位置レジスタによってサポートされて前記ビジター位置レジスタによってサポートされていないかを決定する無線通信システム。
【請求項２９】
前記ビジター位置レジスタが前記別のビジター位置レジスタのサポートしない特性をサポートしているか、あるいは、前記別のビジター位置レジスタが前記ビジター位置レジスタのサポートしない特性をサポートしている場合、
ゲートウェイ位置レジスタが、ホーム位置レジスタに、加入者に対して前記ビジター位置レジスタがサポートしている特性、または、加入者に対して前記別のビジター位置レジスタがサポートしている特性を指示する第３の指標を含む第３のメッセージを送信する請求項２８に記載のシステム。
【請求項３０】
前記サポートされていない特性の別の指標は空であって、それによって前記別のビジター位置レジスタは加入者に対してすべての特性をサポートすることを示す請求項２８に記載のシステム。
【請求項３１】
ゲートウェイ位置レジスタがホーム位置レジスタに対してＭＡＰ＿ＵＰＤＡＴＥ＿ＬＯＣＡＴＩＯＮを送信することによって開始される位置更新メッセージ交換の間に、前記第３のメッセージがホーム位置レジスタに対して送信される請求項２９に記載のシステム。
【請求項３２】
前記第３のメッセージはＭＡＰ＿ＩＮＳＥＲＴ＿ＳＵＢＳＣＲＩＢＥＲ＿ＤＡＴＡ応答確認メッセージである請求項３１に記載のシステム。
【請求項３３】
前記第３のメッセージは、ゲートウェイ位置レジスタがホーム位置レジスタに対してＭＡＰ＿ＲＥＳＴＯＲＥ＿ＤＡＴＡを送信することによって開始される誤り回復メッセージを交換する間にホーム位置レジスタに対して送信される請求項２９に記載のシステム。
【請求項３４】
前記第３のメッセージはＭＡＰ＿ＩＮＳＥＲＴ＿ＳＵＢＳＣＲＩＢＥＲ＿ＤＡＴＡ応答確認メッセージである請求項３３に記載のシステム。
【請求項３５】
前記第３のメッセージは、情報更新メッセージにおいてホーム位置レジスタに送信される請求項２９に記載のシステム。
【請求項３６】
前記情報更新メッセージはＭＡＰ＿ＩＮＦＯＲＭＡＴＩＯＮ＿ＵＰＤＡＴＥメッセージである請求項３４に記載のシステム。
【請求項３７】
前記加入者特性は、追加のサービス、地域加入サービス、ベアラサービス、オペレータが決定する禁止、サポートされているＣＡＭＥＬフェーズおよびテレサービスからなるグループから選択されたことを特徴とする請求項２８に記載のシステム。
【請求項３８】
前記ビジター位置レジスタが完全に制限された地域に存在するか、あるいは、前記別のビジター位置レジスタが完全に制限された地域に存在する場合に、前記ビジター位置レジスタか前記別のビジター位置レジスタが完全に制限された地域に存在すると決定されると、ゲートウェイ位置レジスタは、前記ビジター位置レジスタか前記別のビジター位置レジスタが完全に制限された地域に存在することを示す第３の標識を含む第３のメッセージを送信する請求項２８に記載のシステム。
【発明の詳細な説明】
【０００１】
（関連特許出願の参照）
本発明は、１９９９年４月１２日に出願された米国仮出願第６０／１２８，７８６号に基づいて米国特許法３５ＵＳＣ第１１９条、および／または、第３６５条の優先権を主張する。本特許出願は又、２０００年４月１２日に出願された、下記の出願中の米国特許出願と関連し、これらの開示内容はすべてここに取り込むものとする：米国特許出願第 号（代理人整理番号第０４００００−５３２）「ホーム位置レジスタの誤り回復」；米国特許出願第 号（代理人整理番号第０４００００−５３３）「ゲートウェイ位置レジスタの誤り回復」および米国特許出願第 号（代理人整理番号第０４００００−５３５）「ＵＭＴＳシステムに置けるゲートウェイ位置レジスタ」。
【０００２】
【発明の属する技術分野】
本発明は、移動無線通信システム、ローミング移動体加入者の特性がビジット先のネットワークの位置レジスタによってサポートされていない時の、当該状態のアドレッシングに関するものである。
【０００３】
【技術背景】
図１は、全世界移動通信システム（ＧＳＭ）標準による無線通信システムの一例を示す。ＧＳＭ標準は、異なる国々にいる利用者が現在地に関係なく移動機器を操作できる統一インターフェイスを提供するべく設計された。典型的な場合、移動体の利用者は、当該移動端末利用者のホームパブリックランド移動ネットワーク（ＨＰＬＭＮ）と称されるネットワークを利用することができる。ＨＰＬＭＮ１１０にはホームロケーションレジスタ（ＨＬＲ）１１５があり、当該レジスタには、特に移動端末利用者に提供されるサービスに関する様々な情報が収められている。移動端末利用者がビジティッドパブリックランドモバイルネットワーク１２０（ＶＰＬＭＮ）と称されている別のネットワークに移動した場合、当該ＶＰＬＭＮは、当該移動端末利用者の利用に関するデータを要求する。この移動端末利用者の利用に関するデータは、移動端末利用者のプロフィールとして知られている。移動端末利用者のプロフィールは、ＨＬＲからＶＰＬＭＮ１２０内のビジターロケーションレジスタ（ＶＬＲ）へ転送される。
【０００４】
ＧＳＭシステムでは、移動体サービススイッチングセンタ（ＭＳＣ）と関連し、移動端末利用者に現在サービスを提供しているＶＬＲ内部に移動端末利用者データを蓄積することによってＶＬＲとＨＬＲ間のネットワーク間通信を減少させている。ＧＳＭ内のＶＬＲを分散化（すなわち、各ＭＳＣがＶＬＲを具備していること）することによって、ネットワーク内部の通信を減少させることもできる。従って、例えば、移動端末利用者がＭＳＣ／ＶＬＲ１３０によって制御されているＶＰＬＭＮ１２０内のエリアに移動する場合、ＨＬＲ１１５は、当該移動端末利用者のプロフィールをＭＳＣ／ＶＬＲ１３０へ転送する。同様に、移動端末利用者がＭＳＣ／ＶＬＲ１３５によって制御されているＶＰＬＭＮ１２０内のエリアに移動する場合、ＨＬＲ１１５は、当該移動端末利用者のプロフィールをＭＳＣ／ＶＬＲ１３５へ転送する。図１において、ＭＳＣ／ＶＬＲは、単一のネットワークノードとして図示されているが、ＭＳＣ及びＶＬＲが別個のネットワーク要素として実装することができることは、当業者であれば理解するであろう。
【０００５】
ＧＳＭとその他のシステムの互換性を強化するため、ユニバーサル移動電気通信システム（ＵＭＴＳ）とも称されているＧＳＭ標準の更なるバージョンでは、その他の移動通信システムの要素が取り込まれることが予想される。例えば、日本のパーソナルディジタルセルラ（ＰＤＣ）システムは、ゲートウェイロケーションレジスタ（ＧＬＲ）として知られているネットワーク間の通信を減少させるためのネットワークノードを有している。図２は、ＰＤＣシステムの移動通信システムの一例を図示している。ＧＳＭシステムと同様に、ホームネットワーク２１０は、移動体通信プロフィールを収めているＨＬＲ２１５を有している。移動端末利用者が圏外ネットワーク２２０に移動した場合、当該移動端末利用者のプロフィールは、ＧＬＲ２２５へ転送される。ＧＳＭでの用語によれば、ＧＬＲは、他のネットワークから移動する全ての移動端末利用者のための１つのＶＬＲと呼ぶことができる。よって、ただ一つのＧＬＲが各ネットワークで必要となる。
【０００６】
図３は、ＰＤＣ方式のＧＬＲを取り込んだＵＭＴＳ方式の一例を図示している。ＨＰＬＭＮ３１０の移動端末利用者がＶＰＬＭＮ３２０に移動した場合、ＨＬＲ３１５は、ＧＬＲ３２５へ当該移動端末利用者のプロフィールを転送する。そして、ＧＬＲ３２５は、当該移動端末利用者がどのＶＰＬＭＮ３２０内のどのエリアに移動するかに応じて、当該移動端末利用者のプロフィールをＭＳＣ／ＶＬＲ３３０、３３５、又は３４０のいずれかに転送する。ＧＬＲ３２５をＧＳＭ／ＵＭＴＳシステムに導入することによって、移動加入者がＶＰＬＭＮ３２０に一旦ローミングされると、ＨＬＲは移動体加入者のプロファイルをＧＬＲ３２５に対して転送するだけなので、ネットワーク間のシグナリングが軽減される。ＧＬＲ３２５は、移動体加入者がＶＰＬＭＮ３２０内を動く時に、ＶＰＬＭＮ３２０内の適切なＭＳＣ／ＶＬＲに対して移動体加入者のプロファイルを転送することに付いて責任を有する。
【０００７】
ＶＬＲとＨＬＲ間でデータを転送するためにＧＳＭ／ＵＭＴＳ方式が使用するプロトコルは、移動通信応用部（ＭＡＰ）である。ＧＬＲは、ＵＭＴＳ方式内で選択要素なので、ＭＡＰ手続きは、ネットワークでのＧＬＲの有無とは完全に独立していることを要する。従って、ＨＬＲインターフェイスをＶＬＲに対して、そして、ＶＬＲインターフェイスをＨＬＲに対して使用することによって、ＧＬＲは、完全に透過的であるかもしれない。しかし、異なるＭＳＣ／ＶＬＲノードが追加サービスの異なる組み合わせをサポートするＧＬＲを具備するシステムでは、このことをホームネットワークに置いてＨＬＲに指示することが問題になる。ＭＳＣ／ＶＬＲノードが地域加入制限をサポートしており他のノードがサポートしていないときや、ＭＳＣ／ＶＬＲノードが移動体ネットワーク改善ロジック（ＣＡＭＥＬ）に特化されたアプリケーションの異なるフェーズをサポートしているときにも同様の問題が起きる。ＣＡＭＥＬは優先交換電話ネットワークが提供するものと同様の情報ネットワークサービスを無線システムを通じて提供することを可能にする。異なるベアラサービスとテレサービスがサポートされていないときや、オペレータによって決定された禁止がＭＳＣ／ＶＬＲノードによって異なるときにも同様の問題を生じる。特定のＭＳＣ／ＶＬＲについては全ＭＳＣ領域が特定の移動体加入者に対して制限されており、他のＭＳＣ／ＶＬＲでは制限が無いときにも同様の問題が発生する。説明を簡単にするために、追加のサービス、地域加入制限サポート、ＣＡＭＥＬの異なるフェーズのサポート、ベアラサービスおよびテレサービスを特性と呼ぶことにする。
【０００８】
図４は、サービスを提供しているＭＳＣ／ＶＬＲが加入者の特性の少なくとも１つをサポートしていない状態と取り扱う従来のＭＡＰ手順のシグナルダイアグラムの例を示すものである。移動体加入者がＭＳＣ／ＶＬＲによる制御を受ける領域に入ると、移動体加入者の装置はサービスを提供しているＭＳＣ／ＶＬＲに対して位置更新要求を送信する。サービスを提供しているＭＳＣ／ＶＬＲは、ローミングをしている移動体加入者に対応するＨＬＲに対してＭＡＰ＿ＵＰＤＡＴＥ＿ＬＯＣＡＴＩＯＮメッセージを送信する。サービスを提供しているＭＳＣ／ＶＬＲの、このＭＡＰ＿ＵＰＤＡＴＥ＿ＬＯＣＡＴＩＯＮメッセージに起動されて移動体加入者のＨＬＲはフレーム化されたＭＡＰ＿ＩＮＳＥＲＴ＿ＳＵＢＳＣＲＩＢＥＲ＿ＤＡＴＡ手順を開始して、サービスを提供しているＭＡＣ／ＶＬＲに対して関連する移動体加入者データを転送する。
【０００９】
図５は、ＨＬＲからサービスを提供しているＭＳＣ／ＶＬＲに対して送信されるＭＡＰ＿ＩＮＳＥＲＴ＿ＳＵＢＳＣＲＩＢＥＲ＿ＤＡＴＡメッセージの一例を示すものである。ＭＡＣ＿ＩＮＳＥＲＴ＿ＳＵＢＳＣＲＩＢＥＲ＿ＤＡＴＡメッセージは、その移動体加入者に対して提供される位置群の追加サービスと、これらの追加サービスに必要なデータを示すＳＳデータリストパラメータ５０５を含む。地域加入者制限が、当該移動体加入者に対して適用されるなら、このことは地域加入者データパラメータ５１０に置いて指示される。ＨＬＲからのＭＡＰ＿ＩＮＳＥＲＴ＿ＳＵＢＳＣＲＩＢＥＲ＿ＤＡＴＡメッセージは、さらに、当該移動体加入者が加入しているベアラサービスとテレサービスを示すベアラサービスリストパラメータ５１５とテレサービスリストパラメータ５２０とを含む。オペレータによって決定された禁止が、当該移動体加入者に対して適用されるなら、ＭＡＰ＿ＩＮＳＥＲＴ＿ＳＵＢＳＣＲＩＢＥＲ＿ＤＡＴＡメッセージ（図示しない）の中の加入者状態パラメータが「オペレータによる禁止」に設定されていることを条件に、オペレータによって決定された禁止一般データパラメータ５２５によって指示される。ＭＡＰ＿ＩＮＳＥＲＴ＿ＳＵＢＳＣＲＩＢＥＲ＿ＤＡＴＡメッセージは、ＶＬＲ  ＣＡＭＥＬ加入情報パラメータの中の、選択的機能セットＩ（Ｏ−ＣＳＩ）情報エレメントの中の、ＣＡＭＥＬ機能取り扱い情報エレメントの存在または不存在によって、移動体加入者の加入が要求するＣＡＭＥＬフェーズを具体的に指摘する。ＣＡＭＥＬ機能取り扱い情報エレメントが存在することは、移動体加入者がＣＡＭＥＬフェーズ２またはそれ以上に加入していることを示し、当該情報エレメントが存在しないことは、当該移動体加入者はＣＡＭＥＬフェーズ１に加入していることを示す。
【００１０】
図４に示すように、ＭＳＣ／ＶＬＲは、ＭＡＰ＿ＩＮＳＥＲＴ＿ＳＵＢＳＣＲＩＢＥＲ＿ＤＡＴＡメッセージの中のパラメータの組に対応する特性が、ＭＳＣ／ＶＬＲにサポートされていることを示し、ＨＬＲに対してＭＡＰ＿ＩＮＳＥＲＴ＿ＳＵＢＳＣＲＩＢＥＲ＿ＤＡＴＡ応答メッセージを送信する。
【００１１】
図６は、ＭＡＰ＿ＩＮＳＥＲＴ＿ＳＵＢＳＣＲＩＢＥＲ＿ＤＡＴＡ応答メッセージを例示したものである。示された追加的なサービスの内のいずれかがサービスを提供しているＭＳＣ／ＶＬＲによってサポートされていない時は、これらの通過的なサービスはＳＳ−コードリストパラメータ６０５に示される。地域的加入制限がＭＳＣ／ＶＬＲによってサポートされていないか、当該ＭＳＣの全ＭＳＣ領域が地域的加入制限によって制限されているか（結果的に移動体加入者に送信することが不可能になっている）、パラメータがフォーマッティングエラーか別のデータエラーを含んでいる時は、ＭＡＰ＿ＩＮＳＥＲＴ＿ＳＵＢＳＣＲＩＢＥＲ＿ＤＡＴＡ応答メッセージに地域加入応答パラメータ６１０が含まれて、この問題の原因を指摘する。これらの指摘されたベアラサービスまたはテレサービスがいずれもＭＳＣ／ＶＬＲではサポートされていない時は、そのことがベアラサービスリストパラメータ６１５またはテレサービスリストパラメータ６２０において、それぞれ、指摘される。移動体加入者がＭＳＣ／ＶＬＲによってサポートされていない／割り当てられていない禁止に該当すれば、このことがＭＡＰ＿ＩＮＳＥＲＴ＿ＳＵＢＳＣＲＩＢＥＲ＿ＤＡＴＡ応答メッセージのオペレータ決定禁止パラメータ６２５に記載されてＨＬＲに対して指摘される。ＭＳＣ／ＶＬＲからＨＬＲに対して送信されるＭＡＰ＿ＩＮＳＥＲＴ＿ＳＵＢＳＣＲＩＢＥＲ＿ＤＡＴＡ応答メッセージには、ＭＳＣ／ＶＬＲによってサポートされるＣＡＭＥＬフェーズを示すサポートされているＣＡＭＥＬフェーズパラメータ６３０が含まれる。
【００１２】
再度図４を参照すると、位置更新手順は、ＨＬＲがＭＡＰ＿ＵＰＤＡＴＥ＿ＬＯＣＡＴＩＯＮ応答確認メッセージを送信することによって完了する。
【００１３】
図７は、移動体加入者が、ＭＳＣ／ＶＬＲによって制御された領域からＧＬＲを利用するＶＰＬＭＮの別のＭＳＣ／ＶＬＲによって制御された領域に移動するときのＵＭＴＳシステムのシグナリングを示すものである。ＧＬＲにまだ登録されていない移動体加入者（ＶＰＬＭＮにまだ登録されていない）がＭＳＣ／ＶＬＲ１によってサービスを提供される領域に入ると、移動体加入者の装置はＭＳＣ／ＶＬＲ１要求サポートに対して位置更新メッセージ（図示しない）を送信する。ＭＳＣ／ＶＬＲ１は、ＭＡＰ＿ＵＰＤＡＴＥ＿ＬＯＣＡＴＩＯＮメッセージをＶＰＬＭＮのＧＬＲに対して送信する。移動体加入者は特定のＶＰＬＭＮから始めて登録しようとしているので、ＧＬＲはＭＡＰ＿ＵＰＤＡＴＥ＿ＬＯＣＡＴＩＯＮメッセージを当該移動体加入者に対応するＨＬＲに対して送信する。これに応答して、ＨＬＲはＭＡＰ＿ＩＮＳＥＲＴ＿ＳＵＢＳＣＲＩＢＥＲ＿ＤＡＴＡメッセージをＧＬＲに送信して、加入者が現在加入している、および／または、適用されている特性を指示する。このメッセージは、ＧＬＲからサービスを提供しているＭＳＣ／ＶＬＲ１に送られ、ＭＳＣ／ＶＬＲ１がＭＡＰ＿ＩＮＳＥＲＴ＿ＳＵＢＳＣＲＩＢＥＲ＿ＤＡＴＡ応答メッセージを返して、これがＧＬＲからＨＬＲに返送される。ＭＡＰ＿ＩＮＳＥＲＴ＿ＳＵＢＳＣＲＩＢＥＲ＿ＤＡＴＡ応答メッセージは、加入者が加入している、および／または、適用されている特性であってサービスを提供している特定のＭＳＣ／ＶＬＲがサポートしていない特性を示す。位置更新手順は、ＨＬＲがＭＡＰ＿ＵＰＤＡＴＥ＿ＬＯＣＡＴＩＯＮ応答メッセージをＧＬＲに送り、これが当該メッセージをＭＳＣ／ＶＬＲ１に送ることによって完了する。
【００１４】
ネットワーク内のシグナリングを削減するために、ビジットされたネットワークがＧＬＲを使用している時は、特定のビジットされたネットワークのローミングしている移動体加入者からの一連の連続した位置更新要求の内の最初の位置更新要求に際してのみ、ローミングしている加入者のＨＬＲからＭＡＰ＿ＵＰＤＡＴＥ＿ＬＯＣＡＴＩＯＮメッセージが送信される。したがって、次に移動体加入者が別のＭＳＣ領域または別のＭＳＣ／ＶＬＲに移動した時は、この移動についてＨＬＲは情報を受け取らない。その代わり、ＭＳＣ／ＶＬＲ２のようなＭＳＣ／ＶＬＲは、ＧＬＲに対してＭＡＰ＿ＵＰＤＡＴＥ＿ＬＯＣＡＴＩＯＮメッセージを送信する。ＧＬＲは、ＭＳＣ／ＶＬＲ２に対してＭＡＰ＿ＩＮＳＥＲＴ＿ＳＵＢＳＣＲＩＢＥＲ＿ＤＡＴＡメッセージで応答する。ＭＳＣ／ＶＬＲ２は、ＭＡＰ＿ＩＮＳＥＲＴ＿ＳＵＢＳＣＲＩＢＥＲ＿ＤＡＴＡ応答メッセージを返送する。ＧＬＲは、ＭＳＣ／ＶＬＲ２に対してＭＡＰ＿ＵＰＤＡＴＥ＿ＬＯＣＡＴＩＯＮ応答メッセージを送信して、ＭＳＣ／ＶＬＲ１に対して位置キャンセル手順を実行することで、位置更新手順を完了する。したがって、ＭＳＣ／ＶＬＲ２がＭＳＣ／ＶＬＲ１がサポートしていた特性とは異なる特性をサポートしているなら、位置更新メッセージはＧＬＲからＨＬＲに対して送られないので、このような特性を提供するためには情報を必要とするＨＬＲには、このことが知らされない。
【００１５】
（発明の要旨）
本発明の実施例によれば、ビジター位置レジスタにサポートされていない特性を指示するための方法と装置が提供される。当該加入者に対してビジター位置レジスタがサポートしない特性の表示を含むメッセージが、ゲートウェイ位置レジスタからホーム位置レジスタに対して送信される。当該加入者に対して別のビジター位置レジスタによってサポートされていない特性に関する別の指標を含む別のメッセージがゲートウェイ位置レジスタに送信される。ゲートウェイ位置レジスタは、別のビジター位置レジスタによってサポートされていない特性が前記ビジター位置レジスタによってサポートされているか、あるいは、前記ビジター位置レジスタによってサポートされていない特性が別のビジター位置レジスタによってサポートされているかを決定する。
【００１６】
本発明の他の側面によれば、加入者がビジター位置レジスタによるサービスの提供を受けていることを示す位置更新メッセージが、ビジター位置レジスタからゲートウェイ位置レジスタに対して送信される。ビジター位置レジスタによって加入者のどの特性がサポートされているかが、ゲートウェイ位置レジスタに指示される。加入者特性の内のどれがビジター位置レジスタによってサポートされているかを示すメッセージが加入者のホーム位置レジスタに対して送信される。加入者が別のビジター位置レジスタによってサービスされていることを示す別の位置更新メッセージが、別のビジター位置レジスタからゲートウェイ位置レジスタに対して送信される。別のビジター位置レジスタによって加入者特性の内のどれがサポートされているかがゲートウェイ位置レジスタに対して指示される。ゲートウェイ位置レジスタは、前記ビジター位置レジスタが、他のビジター位置レジスタがサポートしていない特性をサポートしているか、あるいは、別のビジター位置レジスタが、前記ビジター位置レジスタがサポートしていない特性をサポートしているかを決定する。
【００１７】
【発明の実施の形態】
添付図面を参照しながら本発明を説明する。
【００１８】
以下の記載では、本発明が一様に理解されるように、ネットワーク内部又はネットワーク間での通信に関する特定の配列、及び特定のメッセージ等、詳細部分が特定化されているが、これは説明目的であって、本発明を限定する意図の下に特定化されているわけではない。これら特定化された詳細説明の範囲外である他の実施態様においても本発明を実施しうることは、当業者にとって明らかであろう。その他、本発明の説明を曖昧にしないために周知の方法、装置及びフレーム構造について詳細に説明することを省略してある。
【００１９】
本明細書で論じる無線通信方式の実施例は、ＵＭＴＳ方式に従って操作されているものとして記載した。しかし、ネットワーク内部の通信を減少させる目的でゲートウェイを使用しているその他の移動通信システムにおいても本発明を実施可能であることは、当業者であれば認識するであろう。
【００２０】
本発明の実施例によれば、ＨＬＲが要求する情報の断片が変化したときにはＧＬＲはこれを検出し、ＨＬＲに対して当該要求された情報を伝達する。移動体加入者の位置が変化して、情報の断片が変化した時にこれを検出するために、ＧＬＲは、ＭＳＣ／ＶＬＲからＭＡＰ＿ＩＮＳＥＲＴ＿ＳＵＢＳＣＲＩＢＥＲ＿ＤＡＴＡ応答メッセージによって受信した、移動体加入者の特性に関する６つのパラメータ（ＳＳ−コードリスト、ベアラサービスリスト、テレサービスリスト、オペレータ決定禁止一般データ、地域加入応答、サポートされているＣＡＭＥＬフェーズ）を保存する。完全に制限されたＭＳＣ領域を除いて、これらのデータはノード毎の特徴を示すものなので、ノード毎のそれぞれの特性のための具体的なサポートもまた、ＧＬＲにコンフィギュレーションデータとして保存される。ＧＬＲに保存されたコンフィギュレーションデータは、ＧＬＲによって制御されるそれぞれのＭＳＣ／ＶＬＲに固有の加入者に固有では無い特性のサポート、つまり、オペレータによって決定された禁止は加入者に対して個別的ではなく、移動制限領域は加入者に固有であるサポートを示す。
【００２１】
同じ移動体加入者に関する次のＭＡＰ＿ＩＮＳＥＲＴ＿ＳＵＢＳＣＲＩＢＥＲ＿ＤＡＴＡ応答メッセージが新しいＭＳＣ／ＶＬＲから受信されると、ＧＬＲは移動体加入者の特性が変化したのか否かを決定する。ＧＬＲは、移動体加入者いずれかのサポート状況が変化したか否かを、ＭＡＰ＿ＩＮＳＥＲＴ＿ＳＵＢＳＣＲＩＢＥＲ＿ＤＡＴＡ応答メッセージに含まれるデータを、当該移動体加入者についての前のＭＡＰ＿ＩＮＳＥＲＴ＿ＳＵＢＳＣＲＩＢＥＲ＿ＤＡＴＡ応答メッセージから保存されていたデータと比較することによって決定することができる。さもなければ、ＧＬＲは、古いＭＳＣ／ＶＬＲノードと新しいＭＳＣ／ＶＬＲノードのコンフィギュレーションデータを比較してこの決定を行うことも可能である。完全に制限されたＭＳＣ領域は、コンフィギュレーションデータを使用して決定することができないので、ＧＬＲはそれぞれのＭＳＣ／ＶＬＲに対して、ＨＬＲから前に提供された情報またはＭＳＣ／ＶＬＲ空のＭＡＰ＿ＩＮＳＥＲＴ＿ＳＵＢＳＣＲＩＢＥＲ＿ＤＡＴＡ応答メッセージからの情報に基づいて、ＭＳＣ／ＶＬＲが制限されているか否かを決定しなければならない。移動体加入者がＭＳＣ／ＶＬＲからおなじＧＬＲからサービスされている別のＭＳＣ／ＶＬＲにローミングしたことによって、移動体加入者の特性のためのサポートが変化している場合、ＧＬＲは、ＨＬＲに対して以下に記載する３つの方法の内の１つによってそのことを知らせる。
【００２２】
図８は、ＨＬＲに対して、ローミングしている移動体加入者が１つのＭＳＣ／ＶＬＲからおなじＧＬＲによってサービスされている別のＭＳＣ／ＶＬＲにローミングしたことによって、ローミングしている移動体加入者の特性に関する基本的な情報が変化したことを知らせるためのシグナリングを図示したものである。移動体加入者がＭＳＣ／ＶＬＲに接触して、位置の更新を要求したとき、ＭＳＣ／ＶＬＲはＧＬＲに対してＭＡＰ＿ＵＰＤＡＴＥ＿ＬＯＣＡＴＩＯＮメッセージを送信し、ＧＬＲは図７に示したのと同様の方法によってＭＡＰ＿ＩＮＳＥＲＴ＿ＳＵＢＳＣＲＩＢＥＲ＿ＤＡＴＡによって応答する。ＭＳＣ／ＶＬＲが移動体加入者特性の内の特定の特性がサポートされていない、および／または、全ＭＳＣ領域が対象移動体加入者に対して制限されていることを検出すると、当該ＭＳＣ／ＶＬＲは、ＭＳＣ／ＶＬＲによってサポートされていない特性、および／または、全ＭＳＣ領域が制限されていることを示すＭＡＰ＿ＩＮＳＥＲＴ＿ＳＵＢＳＣＲＩＢＥＲ＿ＤＡＴＡメッセージによってこれに応答する。ＧＬＲは、ＭＡＰ＿ＩＮＳＥＲＴ＿ＳＵＢＳＣＲＩＢＥＲ＿ＤＡＴＡ応答メッセージから、あるいは以前のＭＳＣ／ＶＬＲと新しいＭＳＣ／ＶＬＲのコンフィギュレーションデータを比較することによって、移動体加入者が前のＭＳＣ／ＶＬＲから新しいＭＳＣ／ＶＬＲに移動したことによって指摘した特性の内のいずれかが変化したか否か、あるいは前のＭＳＣ／ＶＬＲでは全ＭＳＣ領域が制限されていたが新しいＭＳＣ／ＶＬＲでは制限されていないか、あるいはその逆であるかを決定する。その場合には、ＧＬＲは、ＨＬＲに対してＭＡＰ＿ＵＰＤＡＴＥ＿ＬＯＣＡＴＩＯＮメッセージを送信することによって位置更新手順を開始する。ＧＬＲはネットワーク内のシグナリングを軽減するために使用されるので、従来のシステムでは、ＨＬＲにおける位置更新手順が開始されることは無い。したがって、従来のシステムは、移動体加入者特性のＭＳＣ／ＶＬＲサポートが変化しても、移動体加入者が全制限ＭＳＣ領域からそうで無い領域に移動しても、あるいはその逆の移動を行っても、ＨＬＲに対してＭＡＰ＿ＵＰＤＡＴＥ＿ＬＯＣＡＴＩＯＮメッセージが送信されることは無い。
【００２３】
その結果、ＨＬＲからＭＡＰ＿ＩＮＳＥＲＴ＿ＳＵＢＳＣＲＩＢＥＲ＿ＤＡＴＡメッセージが受信されると、ＧＬＲはそれをＭＳＣ／ＶＬＲに送信することは無い。その代わり、ＧＬＲはＨＬＲに対して、ＭＳＣ／ＶＬＲから受信したものと同じ、ＭＳＣ／ＶＬＲがサポートしていない特性、および／または、全ＭＳＣ領域が制限されていることを示すＭＳＣ／ＶＬＲから受信したＭＡＰ＿ＩＮＳＥＲＴ＿ＳＵＢＳＣＲＩＢＥＲ＿ＤＡＴＡ応答メッセージによって応答する。ＨＬＲは次に、ＭＡＰ＿ＵＰＤＡＴＥ＿ＬＯＣＡＴＩＯＮ応答確認によって応答する。
ＧＬＲはＭＡＰ＿ＵＰＤＡＴＥ＿ＬＯＣＡＴＩＯＮ応答確認をＭＳＣ／ＶＬＲに送信する。この過程を通じて、ＨＬＲは新しいＭＳＣ／ＶＬＲによってサポートされている特性に関する情報を受信する。従って、ＨＬＲは移動体加入者のためにサポートされている特性を調整することができる。
【００２４】
当業者であれば、一定のシナリオに置いては、ＧＬＲから送られるＭＡＰ＿ＩＮＳＥＲＴ＿ＳＵＢＳＣＲＩＢＥＲ＿ＤＡＴＡ応答メッセージは空の確認メッセージであることを理解するはずである。たとえば、移動体加入者が、ＭＳＣ／ＶＬＲが移動体加入者のすべての特性をサポートするが完全に制限されたＭＳＣ領域から、同様に加入者特性のすべてをサポートするが完全に制限されたＭＳＣ領域ではないＭＳＣ／ＶＬＲにローミングする場合、ＭＡＰ＿ＩＮＳＥＲＴ＿ＳＵＢＳＣＲＩＢＥＲ＿ＤＡＴＡ応答メッセージは空である。ＭＡＰ＿ＩＮＳＥＲＴ＿ＳＵＢＳＣＲＩＢＥＲ＿ＤＡＴＡ応答メッセージは、サポートされていない制限された特性とＭＳＣ領域を指示するので、空のメッセージは、すべての加入者特性がサポートされており、制限ＭＳＣ領域では無いことを示す。
【００２５】
図９は、ＨＬＲに対して、ローミングしている移動体加入者が、共に同じＧＬＲによってサービスを提供されている１つのＭＳＣ／ＶＬＲから別のＭＳＣ／ＶＬＲに移動した時に、ローミングしている移動体加入者の特性に関する基本的な情報の内のいずれかに変更があったか否かに関する情報を、本発明の他の実施例に従ってシグナリングする様子を示すものである。ＭＳＣ／ＶＬＲとＧＬＲとの間で交換される最初の３つのメッセージは図８に示したメッセージと同じであり、ＭＳＣ／ＶＬＲがＧＬＲに対して、加入者特性の内のいずれかがＭＳＣ／ＶＬＲによってサポートされていないか、および／または、全ＭＳＣ領域が対象加入者に対しては制限的であることを示す。さらに、ＭＡＰ＿ＩＮＳＥＲＴ＿ＳＵＢＳＣＲＩＢＥＲ＿ＤＡＴＡ応答メッセージは空であっても良い。ＧＬＲは、ＭＡＰ＿ＩＮＳＥＲＴ＿ＳＵＢＳＣＲＩＢＥＲ＿ＤＡＴＡ応答メッセージから、あるいは、前のＭＳＣ／ＶＬＲと新しいＭＳＣ／ＶＬＲのコンフィギュレーションデータを比較することで、移動体加入者がまえのＭＳＣ／ＶＬＲから新しいＭＳＣ／ＶＬＲに移動した時に、指示された特性の内のいずれかが変化したか、あるいは、前のＭＳＣ／ＶＬＲでは全ＭＳＣ領域が制限されていたが、新しいＭＳＣ／ＶＬＲではそうではないか、あるいはその逆であるかを決定する。移動体加入者の特性のサポート状況に変化があるか、全ＭＳＣ領域に変化があれば、ＧＬＲは、データの回復が必要なわけではないが、ＧＬＲはＨＬＲに対してＭＡＰ＿ＲＥＳＴＯＲＥ＿ＤＡＴＡメッセージを送信する。
【００２６】
従来は、ＭＡＰ＿ＲＥＳＴＯＲＥ＿ＤＡＴＡメッセージは、ＭＳＣ／ＶＬＲからＨＬＲに対して、ＭＳＣ／ＶＬＲが誤りを経験して、ＭＳＣ／ＶＬＲが移動体加入者のデータを喪失した時に送信されていた。ＭＡＰ＿ＲＥＳＴＯＲＥ＿ＤＡＴＡメッセージは、ＭＡＰ＿ＩＮＳＥＲＴ＿ＳＵＢＳＣＲＩＢＥＲ＿ＤＡＴＡメッセージのＨＬＲからの送信を開始させ、ＧＬＲはこれに対して、ＭＳＣ／ＶＬＲから受信したのと同じＭＡＰ＿ＩＮＳＥＲＴ＿ＳＵＢＳＣＲＩＢＥＲ＿ＤＡＴＡ応答メッセージ、つまり、ＭＳＣ／ＶＬＲではサポートされない特性、および／または、全ＭＳＣ領域が当該移動体加入者に対して制限されていることを示すメッセージまたは空のＭＡＰ＿ＩＮＳＥＲＴ＿ＳＵＢＳＣＲＩＢＥＲ＿ＤＡＴＡ応答メッセージによってこれに応答する。ＨＬＲは、ＧＬＲに対してＭＡＰ＿ＲＥＳＴＯＲＥ＿ＤＡＴＡ応答確認メッセージを送信する。ＧＬＲは、ＭＳＣ／ＶＬＲとの更新位置手順を、ＭＡＰ＿ＵＰＤＡＴＥ＿ＬＯＣＡＴＩＯＮ応答確認メッセージを送信することで完了する。
【００２７】
本発明のさらに別の実施例によれば、ＨＬＲに対して、移動体加入者のサポートに変化があったこと、および／または、前ＭＳＣ領域の可能な制限の状態に変化があったことを知らせるための新しいＭＡＰメッセージが定義される。このメッセージは、たとえば、ＭＡＰ＿ＩＮＦＯＲＭＡＴＩＯＮ＿ＵＰＤＡＴＥと呼ばれ、強制的なパラメータの１つとして対象となる加入者（およびインボークＩＤ）のＩＭＳＩを含み、ＭＡＰ＿ＩＮＦＯＲＭＡＴＩＯＮ＿ＵＰＤＡＴＥと呼ばれる。当該ＭＡＰ＿ＩＮＦＯＲＭＡＴＩＯＮ＿ＵＰＤＡＴＥメッセージは、選択的なパラメータとしてＳＳ−コードリスト、ベアラサービスリスト、テレサービスリスト、オペレータが決定した禁止一般データ、地域加入応答およびサポートされているＣＡＭＥＬフェーズパラメータを含み、ＨＬＲに対してこれらの特性の変化、および／または、全ＭＳＣ領域の可能性のある制限状態の変化を知らせることもできる。ＨＬＲ空の応答メッセージは、共通パラメータインボークＩＤ、ユーザエラーとプロバイダエラーを含む。
【００２８】
図１０は、ＨＬＲに対して、ローミングを行っている移動体加入者が、共に同じＧＬＲからサービスを提供されているＭＳＣ／ＶＬＲの内の１つのＭＳＣ／ＶＬＲから別のＭＳＣ／ＶＬＲにローミングした時に、ローミングを行っている移動体加入者に対して提供されている特性が変化したか、および／または、全ＭＳＣ領域に付いて可能性のある制限に変化が合ったかを新しく定義されたＭＡＰメッセージを使用して情報を提供するシグナリングを図示したものである。再度、ＭＳＣ／ＶＬＲとＧＬＲとの間で交換される最初の３つのメッセージは図８で図示したものと同じである。ＧＬＲは、ＭＡＰ＿ＩＮＳＥＲＴ＿ＳＵＢＳＣＲＩＢＥＲ＿ＤＡＴＡ応答メッセージまたは前のＭＳＣ／ＶＬＲと新しいＭＳＣ／ＶＬＲのコンフィギュレーションを比較することによって、対象となった特性の内の幾つかが、前のＭＳＣ／ＶＬＲから新しいＭＳＣ／ＶＬＲに移動した時に変化したか、あるいは、全ＭＳＣ領域が前のＭＳＣ／ＶＬＲでは制限されていたが新しいＭＳＣ／ＶＬＲではそうでないか、あるいはその反対であるかを決定する。その場合には、ＧＬＲは、ＨＬＲに対して、ＭＳＣ／ＶＬＲがサポートしていない特性、および／または、全ＭＳＣ領域が制限されているかあるいは空のメッセージを示すＭＡＰ＿ＩＮＳＥＲＴ＿ＳＵＢＳＣＲＩＢＥＲ＿ＤＡＴＡ応答メッセージを送信する。これに応答して、ＨＬＲは、ＭＡＰ＿ＩＮＦＯＲＭＡＴＩＯＮ＿ＵＰＤＡＴＥ応答確認メッセージをＧＬＲに送信する。ＧＬＲは、ＭＳＣ／ＶＬＲに対してＭＡＰ＿ＵＰＤＡＴＥ＿ＬＯＣＡＴＩＯＮ確認メッセージを送信することによって位置更新手続きを完了する。新しいＭＡＰメッセージを定義することによって、ＨＬＲからＧＬＲへの、通常は大きなＭＡＰ＿ＩＮＳＥＲＴ＿ＳＵＢＳＣＲＩＢＥＲ＿ＤＡＴＡ応答メッセージの送信を回避することができるので、システムのシグナリングに要する負荷を低減することができる。
【００２９】
説明を簡単にするために、例示した実施例では、ＨＬＲに対して新しいＭＳＣ／ＶＬＲがサポートしない特性の情報を報知することにした。しかし、当業者であれば、ＧＬＲがＨＬＲに対して、新しいＭＳＣ／ＶＬＲがサポートしない特性を連絡することによって、ＧＬＲは、前のＭＳＣ／ＶＬＲではサポートされていなかったが新しいＭＳＣ／ＶＬＲではサポートされている特性を暗示することができる。
【００３０】
当業者であれば、上述の方法は汎用パケット無線サービス（ＧＰＲＳ）にも適用可能なことを理解するはずである。ＨＬＲに対して、新しくサービスを提供するＧＰＲＳサポートノード（ＳＧＳＮ）がサポートしない特性を知らせることによって、ＧＬＲは、案じて気に、新しいＳＧＳＮがサポートする特性を指摘することも、その逆を指摘することもできる。ＧＰＲＳとＳＧＳＮに関するより詳細な説明は、ここに参照してその記載を取り込むもの、米国特許出願第 号（代理人整理番号第０４００００−５３５）「ＵＭＴＳシステムに置けるゲートウェイ位置レジスタ」を参照されたい。
【００３１】
本発明を実施例に基づいて説明したが、本発明は実施例に限定されるわけではない。添付の特許請求の範囲によって定義される本発明の技術的思想の範囲内において、当業者は変更あるいは置換を行うことができるはずである。
【図面の簡単な説明】
【図１】  従来のＧＳＭシステムを示す。
【図２】  従来ＰＤＣシステムを示す。
【図３】  ＧＬＲを包含するＵＭＴＳシステムの例を示す。
【図４】  従来のＭＡＰ位置更新手順に置けるシグナリングダイヤグラムである。
【図５】  従来のＭＡＰ＿ＩＮＳＥＲＴ＿ＳＵＢＳＣＲＩＢＥＲ＿ＤＡＴＡメッセージの一部を示す。
【図６】  従来のＭＡＰ＿ＩＮＳＥＲＴ＿ＳＵＢＳＣＲＩＢＥＲ＿ＤＡＴＡ応答確認メッセージの一部を示す。
【図７】  ＧＬＲに収容されたＵＭＴＳ型システムの位置更新手順のシグナリングダイヤグラムである。
【図８】  本発明の１実施例に基づく、ＧＬＲに収容されたＵＭＴＳ型システムの位置更新手順のシグナリングダイヤグラムである。
【図９】  本発明の他の実施例に基づく、ＧＬＲに収容されたＵＭＴＳ型システムの位置更新手順のシグナリングダイヤグラムである。
【図１０】  本発明のさらに他の実施例に基づく、ＧＬＲに収容されたＵＭＴＳ型システムの位置更新手順のシグナリングダイヤグラムである。
【図１】
0004397125.tif 000002
【図２】
0004397125.tif 000003
【図３】
0004397125.tif 000004
【図４】
0004397125.tif 000005
【図５】
0004397125.tif 000006
【図６】
0004397125.tif 000007
【図７】
0004397125.tif 000008
【図８】
0004397125.tif 000009
【図９】
0004397125.tif 000010
【図１０】
0004397125.tif 000011